【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
文書の目視欄を補足情報と共に描出するようにコンピューターにより実現される方法であり、少なくとも１つのプロセッサーを介して実行される、
文書の第１の目視欄を描出し、ディスプレイの目視ウィンドウ全体を含むキャンバスを前記文書コンテンツが満たすようにするステップと、
前記文書と関連付けられた補足情報エリアを見る要求を受け取るステップと、
前記要求の受け取ったことに応答して、前記第１の目視欄で可視的な前記文書コンテンツを前記キャンバス上の縮小されたサイズに描出するステップであって、前記第１の目視欄で可視的な前記文書コンテンツは前記キャンバスを満たさず、第２の目視欄の前記文書コンテンツに占有されていない前記キャンバスの一部に前記補足情報エリアが表示され、前記第２の目視欄が描出されるときには前記補足情報エリアが空である、ステップと、
前記第２の目視欄を描出した後で、前記文書と関連付けられた補足情報を受け取るステップと、
前記第２の目視欄を描出した後で、前記受け取られた補足情報を前記補足情報エリアに描出するステップと、
を含む、方法。
【請求項２】
請求項１記載の方法において、前記受け取られた補足情報を前記補足情報エリアに描出するステップは、前記文書コンテンツに占有されていない前記キャンバスの一部にユーザー注釈を描出するステップを含む、方法。
【請求項３】
請求項２記載の方法において、前記ユーザー注釈は、前記第２の目視欄の前記補足情報エリアを見ている間にユーザーによって作成される文書と関連付けられた情報を含み、前記ユーザーにとってアクセス可能である、方法。
【請求項４】
請求項１記載の方法において、前記第２の目視欄を描出するステップは、前記文書コンテンツに占有されていない前記キャンバスの一部に共同注釈を描出するステップを含む、方法。
【請求項５】
請求項４記載の方法において、前記共同注釈は、前記第２の目視欄の前記補足情報エリアを見ている間にユーザーによって作成される文書と関連付けられた情報を含み、一人以上の他のユーザーにとってアクセス可能である、方法。
【請求項６】
請求項１記載の方法において、前記第２の目視欄を描出するステップは、前記文書コンテンツに占有されていない前記キャンバスの一部に広告を描出するステップを含む、方法。
【請求項７】
請求項１記載の方法において、前記第２の目視欄を描出するステップは、前記文書コンテンツの目視欄のサイズを前記キャンバスのサイズから前記キャンバスよりも小さなサイズに縮小するステップを含み、前記縮小の際には、前記縮小されたサイズにおける前記文書コンテンツに対応し前記ディスプレイの解像度に比例し前記キャンバスを満たす前記文書コンテンツの解像度と前記縮小されたサイズにおける前記文書コンテンツの解像度との差を含むデータ量が用いられる、方法。
【請求項８】
請求項１記載の方法であって、更に、
前記文書と関連付けられた前記補足情報エリアの目視欄を隠蔽する要求を受け取るステップと、
前記要求を受け取ったことに応答して、前記文書が前記キャンバスを満たすように前記文書の前記第１の目視欄を描出するステップと、
を含む、方法。
【請求項９】
請求項８記載の方法において、前記第１の目視欄を描出するステップは、前記文書コンテンツの目視欄のサイズを前記キャンバスよりも小さなサイズから前記キャンバスのサイズに拡大するステップを含み、前記拡大の際には、前記キャンバスを満たす前記文書コンテンツに対応し前記ディスプレイの解像度に比例し前記縮小されたサイズにおける前記文書コンテンツの解像度と前記キャンバスを満たす前記文書コンテンツの解像度との差を含むデータ量が用いられる、方法。
【請求項１０】
請求項１記載の方法において、前記文書はワールド・ワイド・ウェブ・ページを含む、方法。
【請求項１１】
請求項１記載の方法において、前記文書はワープロ文書を含む、方法。
【請求項１２】
コンピューター実行可能命令が格納されたコンピューター読取可能記憶媒体であって、前記命令がコンピューターによって実行されると、当該コンピューターに、
文書の第１の目視欄を描出し、ディスプレイの目視ウィンドウ全体を含むキャンバスを前記文書コンテンツが満たすようにするステップと、
前記文書の前記第１の目視欄を縮小（ズームアウト）する要求を受け取り、前記文書の縮小された目視欄を提供するステップと、
前記要求を受け取ったことに応答して前記文書の第２の目視欄を描出するステップであって、前記第１の目視欄で可視的な前記文書コンテンツは、前記第１の目視欄で可視的な前記文書コンテンツのサイズと比較して縮小されたサイズに描出され、前記文書コンテンツが前記キャンバスを満たさないようにする、ステップと、
前記第２の目視欄において前記文書コンテンツに占有されていない前記キャンバスの一部に前記補足情報エリアを描出するステップであって、前記第２の目視欄が描出されるときには前記補足情報エリアは空である、ステップと、
前記第２の目視欄を描出した後で、前記文書と関連付けられた補足情報を受け取るステップと、
前記第２の目視欄を描出した後で、前記補足情報を前記補足情報エリアに描出するステップと、
を実行させる、コンピューター読取可能記憶媒体。
【請求項１３】
請求項１２記載のコンピューター読取可能記憶媒体において、前記補足情報は、前記文書と関連付けられており前記コンピューターのユーザーによって作成された注釈を含む、コンピューター読取可能記憶媒体。
【請求項１４】
請求項１２記載のコンピューター読取可能記憶媒体において、前記補足情報は、コンピューター・ネットワーク上に格納されている注釈を含む、コンピューター読取可能記憶媒体。
【請求項１５】
請求項１２記載のコンピューター読取可能記憶媒体において、前記補足情報は広告を含む、コンピューター読取可能記憶媒体。
【請求項１６】
文書の目視欄を補足情報と共に描出するようにコンピューターにより実現される方法であって、少なくとも１つのプロセッサーを介して、
文書の第１の目視欄を描出し、文書コンテンツがディスプレイの目視ウィンドウ全体を含むキャンバスを満たすようにするステップと、
前記文書の第２の目視欄を前記キャンバス上に前記第１の目視欄において可視的な前記文書コンテンツのサイズと比較して縮小されたサイズで描出する要求を受け取るステップと、
前記要求を受け取ったことに応答して、前記文書と対応する補足情報がコンピューター記憶装置に記憶されているかどうかを判断するステップと、
前記文書と対応する前記補足情報が前記コンピューター記憶装置に記憶されているとの判断に応答して、前記補足情報を読み出すステップと、
前記文書の前記第２の目視欄を描出するステップであって、前記文書の前記第２の目視欄においては、前記第１の目視欄で可視的な前記文書コンテンツは前記キャンバス上で縮小されたサイズに描出され、前記第１の目視欄で可視的な前記文書コンテンツは前記キャンバス全体を占有せず、補足情報エリアは、前記第１の目視欄で可視的な前記文書コンテンツに加えて前記キャンバス上で可視的である、ステップと、
前記キャンバス上の前記補足情報を前記補足情報エリアに描出するステップと、
前記補足情報エリアの内部の選択されたエリアの選択を受け取るステップと、
前記第２の目視欄が表示されている間に追加的な補足情報を受け取るステップと、
前記第２の目視欄が表示されている間に前記補足情報エリアの前記選択されたエリアの中に前記受け取られた追加的な補足情報を描出するステップと、
を含む、方法。
【請求項１７】
請求項１６記載の方法において、前記文書はワールド・ワイド・ウェブ・ページを含む、方法。
【請求項１８】
請求項１６記載の方法において、前記補足情報は複数のユーザーにとってアクセス可能な共同注釈を含む、方法。
【請求項１９】
請求項２記載の方法において、前記ユーザー注釈は、前記第２の目視欄が描出された後で前記補足情報エリアを見ている間にユーザーによって前記補足情報エリアに作成される、方法。
【請求項２０】
請求項１６記載の方法において、
前記受け取られた補足情報を前記補足情報エリアに描出するステップは、前記文書コンテンツに占有されていない前記キャンバスの一部にユーザー注釈を描出するステップを含み、
前記ユーザー注釈は、前記第２の目視欄が描出された後で前記補足情報エリアを見ている間にユーザーによって前記補足情報エリアに作成される、方法。